(57)【要約】炭酸飲料用のディスペンサ(１)と容器(７)の組合せ体であって、容器は、その頂部に、容器の軸の方向に延出する流出チャンネル(１０)と、流出チャンネルに接続された計量分配管(１２，１３，６６)を介して炭酸飲料を計量分配するためのバネ張力の下に閉じられる計量分配弁(１１)とを備えており、ディスペンサは、容器を収容するための冷却室(４，４０)と、ハンドル(１７，４８)を備える計量分配ヘッド(１５，４７)を有し、  ハンドルは、使用中、計量分配弁(１１)または容器(７)の作動部材(１２，１８，２０，６１)に接続され、作動部材は、ハンドルを軸方向に移動することによって移動して計量分配弁(１１)を開閉することができる点を特徴とする。【選択図】    図１
2007501749.tif 000002
【特許請求の範囲】
【請求項１】
炭酸飲料用のディスペンサ(１)と容器(７)の組合せ体であって、容器は、その頂部に、容器の軸の方向に延出する流出チャンネル(１０)と、流出チャンネルに接続された計量分配管(１２，１３，６６)を介して炭酸飲料を計量分配するためのバネ張力の下に閉じられる計量分配弁(１１)とを備えており、ディスペンサは、容器を収容するための冷却室(４，４０)と、ハンドル(１７，４８)を備える計量分配ヘッド(１５，４７)を有し、
ハンドルは、使用中、計量分配弁(１１)または容器(７)の作動部材(１２，１８，２０，６１)に接続され、作動部材は、ハンドルを軸方向に移動することによって移動して計量分配弁(１１)を開閉することができる点を特徴とする組立て体。
【請求項２】
容器(７)は、エルボ(１２)の付いた計量分配管(１３,１４)を有し、容器のストライカリム(２７´)は、流出チャンネル（１０）内を移動することができ、流出チャンネルのエルボは、流出リム（２９）と打撃面（２８）を備え、
計量分配ヘッド（１５，４７）は、軸から多少離間して配置されたピボット点（１９）を備え、ハンドル（１７）が軸を中心として回動することができ、そして、作動部材は、ハンドルに接続され、打撃面に係合する押圧本体（１８）を含む点を特徴とする請求項１に記載の組合せ体。
【請求項３】
ストライカリム（２７´）は、計量分配弁（１１）の上方において、軸方向に延出する流出チャンネル（１０）の壁（１０´）に沿って、シールされた態様で案内される請求項２に記載の組合せ体。
【請求項４】
計量分配ヘッド（１５）は、可撓性の計量分配管（１３）に接続され、軸を横断して延出する容器の流出部を収容するための収容部を備え、ピボット点（１９）は、前記収容部近くに配置されている請求項１、２または３に記載の組合せ体。
【請求項５】
計量分配ヘッド（４７）は、流出チャンネル（１０）の延出部において容器に接続されることができるシリンダ状本体（６０）を含み、前記本体内には、軸に沿って延出し、
頂部において前記本体から派生するする押圧ロッド（６１）が収容されており、前記本体は、頂部に、流出開口（５２）と、押圧ロッドに接続されて前記本体の壁に沿ってスライドして流出開口（５２）を開閉する遮断部材（６３）を備える請求項１に記載の組合せ体。
【請求項６】
押圧ロッドの長手方向に調節可能であるボス(６５)が、前記押圧ロッドに取り付けられており、前記ボスと係合できる位置に来るストッパ(７３)が、シリンダ状本体の内部に収容されている請求項５に記載の組合せ体。
【請求項７】
遮断部材(９３)は、ハンドルが閉じた位置にあるとき、一方の端部において、流出開口と連通し、他方の端部において、シリンダ状本体内の流出開口と連通するベントチャンネル(６４)を備えている請求項６に記載の組合せ体。
【請求項８】
ディスペンサの軸が必ず水平でなければならない請求項１〜７のいずれか１項に記載の組合せ体。
【請求項９】
計量分配管の流出端部(１４，３１)は、容器の半径よりも長くはない請求項８に記載の組合せ体。
【請求項１０】
ピボット点(１９)は、容器の外周部と軸の間に配置されている請求項２に関する請求項９に記載の組合せ体。
【請求項１１】
容器の計量分配チャンネル(１０)に接続された可撓性垂直導管(２２)は、容器内に収容されている請求項８、９または１０に記載の組合せ体。
【請求項１２】
計量分配管(１２)の流出端部は、ハンドル(７)に関して、計量分配ヘッド内に固定されており、容器は、作動部材(１８)によって軸に沿って移動することができる請求項１〜１１のいずれか１項に記載の組合せ体。
【発明の詳細な説明】
【技術分野】
【０００１】
この発明は、炭酸飲料のディスペンサと容器の組合せ体に関し、容器は、容器の軸方向に延出する流出チャンネルと、流出チャンネルに接続された分配管を介して炭酸飲料を計量分配するためのバネ張力の下に閉じられた計量分配弁とを備える頂部に設けられ、ディスペンサは、容器を収容するための冷却室と、ハンドルを具備する計量分配ヘッドとを備えている。
【０００２】
この発明はまた、そのような組合せ体に使用する炭酸飲料を収容するディスペンサと容器に関する。
【背景技術】
【０００３】
【特許文献１】ＷＯ００/０３９４４
【０００４】
【特許文献２】ＮＬ１，０１９，０５４  そのような炭酸飲料、特に、ビール用のディスペンサは、当出願人の名義になるＷＯ００/０３９４４およびＮＬ１，０１９，０５４に開示されている。このディスペンサは、蓋とタップハンドルの付いた冷却室を含む。蓋内にはコンプレッサに接続された空気フィード部材が収容されている。容器は、中に炭酸飲料を収容する可撓性バッグを備えるプラスチック容器によって形成されている。この容器は、その頂部に、バネ負荷された弁によって閉鎖される流入および流出チャンネル、および、空気導入部と空気接続部を備えている。分配管は、可撓性の分配管に接続されたプラスチックのエルボから作られている。プラスチックの遮断弁が分配管の端部に取り付けられている。エルボは、流出チャンネルに配置されており、ここで下降することができる。容器がディスペンサに配置されると、プラスチックの遮断弁が、タップヘッドに嵌合され、タップハンドルに接続された作動部材を介して容器を開閉することができる。
【０００５】
容器がディスペンサ内に置かれて蓋が閉じられるとき、ディスペンサの空気フィード部材が容器の空気接続部と接続される。エルボもまた、蓋内のストッパを介して流出チャンネル内で下降され、バネ負荷された弁を開く。その結果として、炭酸飲料は、分配計量管内をプラスチックの遮断弁まで流れ込むことができる。空気が、空気接続部を経て可撓性バッグと容器の壁の間のスペースに供給され、飲料が容器から外へ駆動される。タップハンドルを操作することによって、プラスチックの遮断弁が開放されると、炭酸飲料はタップヘッドを経て計量分配される。
【０００６】
知られている飲料ディスペンサでも炭酸飲料、特に、ビールの正確な計量分配は可能である。しかしながら、可撓性分配管の端部におけるプラスチック製遮断弁の構造は相当に複雑である。
【発明の開示】
【発明が解決しようとする課題】
【０００７】
したがって、この発明の１つの目的は、炭酸飲料用の飲料用ディスペンサと容器の組合せ体を提供することであり、この組合せ体を用いれば、制御された飲料の計量分配用に、比較的簡単な作動機構が提供される。
【課題を解決するための手段】
【０００８】
この目的で、この発明の炭酸飲料用の飲料ディスペンサと容器の組合せ体は、ハンドルが、使用中は、計量分配弁または容器に係合する作動部材に接続され、ハンドルを軸方向に移動することによって作動部材を移動して計量分配弁を開閉することができる点を特徴とする。
【０００９】
正確で制御された飲料の計量分配は、バネ負荷された弁を直接作動することによって可能であることが見出されている。この装置によれば、計量分配チャンネルの流出端部が、容器の流出チャンネルと直接連通する、すなわち、中間的な遮断弁を用いることなく連通する。その結果として、そのような閉鎖弁の製造を廃することができる。知られたディスペンサにおける計量分配管と遮断弁は、１回限りの用途(one-off  use)のために好ましく設計されるので、コストにおける評価すべき節減がこの発明によって達成される。もしも、計量分配管が再使用に適するならば、そのようなプラスチック遮断弁の省略は、管内を容易に清掃することが可能になり、その結果として、炭酸飲料が、特に、ビールである場合は、その味が改善されるとともに、賞味期限が延びることが可能である。
【００１０】
好ましい具体例においては、計量分配ヘッドが軸から多少離間して配置されるピボット点を備えており、ハンドルがこのピボット点を中心として回動することができ、作動部材は、打撃面に係合するハンドルに接続された押圧本体を含む。作動部材によって、遮断弁は短いストロークに亘って下降されることができ、遮断弁のバネが押し込まれる。作動部材のストロークは、飲料の計量分配に用いられる圧力に正確に適合されることができ、計量分配における所望の流量を獲得するために、計量分配される飲料のタイプおよび計量分配チャンネルの大きさにも適合することができる。この点は、飲料がビールである場合に特に重要であり、この場合は、飲料を計量分配するとき、ヘッドの正確な量を形成することが極めて重要である。
【００１１】
ストライカリムの直線移動を保証するために、そして、結果として、一様ではない遮断弁の作動と必然的に起きる制御されない飲料の計量分配が発生しうるタップハンドルの作動時における傾斜を防ぐために、ストライカリムは、シールされた態様で、流出チャンネルの壁に沿って案内される。計量分配チャンネルは、遮断弁の上方に、例えば、３mm〜１０mm延出することが好ましい。これによって、流出アームの正確な案内が得られ、かくして、遮断弁の制御された作動が可能になる。ストライカリムの周囲に１つまたは複数のシールリップまたはＯ-リングが配置することができ、これが、流出チャンネルと壁と協働してシールを提供する。
【００１２】
計量分配ヘッドは、軸を横断して延出する可撓性の計量分配管に接続された容器の流出部を収容する収容部分を備えており、ピボット点は、収容部分に近く配置されている。可撓性の計量分配管は、貯蔵する間および容器を製造者から消費者に輸送する間は容器内に収容されるか、あるいは、１回限りの使用のために別体のコンポーネントとして供給される。容器がディスペンサ内に置かれるとき、消費者は、計量分配管を一方の端部において流出チャンネルと接続し、他方の端部においてタップハンドルに接続して飲料を容器から計量分配する。
【００１３】
１つの代替具体例においては、計量分配ヘッドが、流出チャンネルの延出部において容器に接続されるシリンダ状本体を含み、前記本体内には、軸に沿って延出する押圧ロッドが収容されており、前記押圧ロッドは、頂部において前記本体から派生し、前記本体は頂部において、流出開口と、押圧ロッドに接続されて流出開口を開閉する本体壁に沿ってスライドする遮断部材を備える。ディスペンサは、容器を取り込むために頂部で開いている。使用のために、タップハンドルが流出チャンネルに接続され、容器が空にされた後で容器から取り外される。この具体例では、タップハンドルがディスペンサに接続されないので、それは容易に清掃することができる。
【００１４】
この発明の組合せ体の別の具体例においては、ディスペンサの軸が必ず水平である。その結果、この組合せ体は、高さが比較的小さい、または、高さの低いエリアに置くことができる。例えば、通常はワークトップの上にあるキッチンキャビネットの下のワークトップの上に置くことができる。
【００１５】
飲料の計量分配を行った後、タップハンドルの閉鎖時に、計量分配弁と計量分配管の間にあるすべての飲料が急速に放出されること、および、飲料が、長期間に亘って漏れたり垂れたりしないことを可能にするために、計量分配管は短く、そして、ベント開口を備えることが好ましい。
【００１６】
この発明の計量分配用組合せ体のいくつかの具体例が、添付図面を参照しつつ具体例を介してより詳細に説明される。
【発明を実施するための最良の形態】
【００１７】
図１において、飲料ディスペンサ１が、蓋３によって閉じられることができる冷却室４と一緒に示されている。冷却室４は、アルミニウムのような熱伝達性材料で作られ、ペルチエ部材(Peltier  element)５を介して冷却されている。蓋３が開くと、炭酸飲料、好ましくはビールを収容する容器７が、ディスペンサ１の頂部６において、冷却室４内に置かれることが可能である。容器７は、炭酸飲料を収容する可撓性バッグ９を備え、プラスチック製の外側ジャケット８を有している。容器７の頂部には、バネ負荷の計量分配弁１１によって閉じられることが可能な流出チャンネル１０が存在する。エルボ１２が流出チャンネル１０内に収容されており、ストライカリム２７´がチャンネル１０の壁を介して垂直に案内される。エルボ１２は、流出リム２９によって計量分配管１３に接続されており、プラスチック製の計量分配管１３の流出側端部１４が、タップヘッド１５内に置かれている。この装置にあっては、エルボ１２、管１３、および流出端部１４が、製造者またはユーザによって流出チャンネル１０に嵌合される不可欠な全体を形成する。容器７がディスペンサ１内に置かれると、流出端部１４が、作動位置においてユーザによってタップヘッド１５に接続される。このタップヘッド１５は、ＮＬ１，０１９，０５４号に詳細に説明されているように、この目的で回動して開く。
【００１８】
このタップヘッド１５は、ピボット点１９を中心として矢印方向に回動されることができるハンドル１７を備えている。ピボット点２１において、蓋３にマウントされる偏心カム２０に係合する押圧ロッド１８はハンドル１７に接続されている。この偏心カム２０は、エルボ１２と接触しており、ハンドル１７の作動時に、流出チャンネル１０内においてエルボ１２をコイルバネ１６のバネ力に抗して矢印方向に移動する。その結果、可撓性バッグ９の内容物は、垂直導管２２を経て、計量分配チャンネル１３に流れ込むことができ、計量分配チャンネル１３を経て流出端部１４に流れる。
【００１９】
外側ジャケット８と可撓性バッグ９との間のスペースにおける圧力を生成するために、管２５を介して弾性的にマウントされた蓋３内の空気フィード部２６に接続されるコンプレッサ２４が提供される。蓋３が閉じられると、空気フィード部２６が容器７内の空気導入部２７に係合し、空気導入部２７は、バッグ９と外側ジャケット８の間のスペースと連通する。
【００２０】
ハンドル７を作動することによって、エルボ１２は、簡単で信頼できる態様で下降することができ、計量分配弁１１が開かれる。その理由は、この装置にあっては、垂直方向を指向するエルボ１２のストライカリム２７´が、流出チャンネル１０の壁によってその長さの比較的大きい部分に亘って支持されているので、傾斜することなく垂直方向を指向して移動することができ、遮断弁１１が最大量の飲料を計量分配するための規定位置にもたらされるからである。
【００２１】
エルボ１２のアセンブリ、計量分配管１３、および、流出端部は廃棄可能な構造体として構築することができるが、アセンブリを多目的のアセンブリとして構築することも可能である。なんとなれば、エルボ、計量分配管、および、流出端部はユーザによって容易にディスペンサから取り外すことができるので、これらは、完全に清掃することが可能で、容器７の内容物がもしビールである場合は、味を改善することができるとともに賞味期限を延ばす結果になる。更には、計量分配管は剛性部材に製造することができる。
【００２２】
図２は、１具体例におけるハンドル１７と計量分配弁１１の作動機構を示し、この場合、ハンドルによって３つの位置が想定される。ピボット点２１を中心として回動することが可能な偏心カム２０は、蓋３にマウントされており、エルボ１２の打撃面２８に係合する。エルボ１２のストライカリム２７´の端部は、閉鎖シール３０を突き刺すことができる鋭利な部位を備えており、このシールは、使用前は流出チャンネル１０を閉鎖している。ハンドルが１７で示す位置から直立位置１７´に移動すると、タッピングの準備が完了しエルボ１２は、シール３０が破壊される程度まで、流出チャンネル１０内に移動するが、弁１１は閉じたままである。ハンドル１７が、更に回動して、位置１７´´に至ると、弁１１は、バネの張力に抗して流出チャンネル１０内に押し込まれ、容器７の内容物が計量分配管１３を経て放出される。ハンドルが、位置１７´に復帰すると、エルボ１２は引っ込み、弁１１が閉じる。
【００２３】
図３、４は、この発明の組合せ体の１具体例を示し、同様なコンポーネントが、図１、２と同様な参照符号で示されている。エルボ１２は、容器７内において、比較的短いマウス３１を備えている。使用前、エルボ１２は、容器７のネック部によって形成される室内に収容されており、蓋３２により閉鎖されている。ディスペンサ１は、図４に示すように、水平に置かれる。容器９内の薄肉の接続部２７は、底部に配置されてディスペンサ１に嵌合され、空気フィード部２６に接続されている。コンプレッサ２４と冷却デバイス５は、ディスペンサの後部に配置される。ハンドル１７は、作動部材１８に接続され、この作動部材は、エルボ１２の打撃面２８に係合する。エルボ１２は、ハンドル１７によって、Ｏ-リングのシール３３を越えて流出チャンネル１０内に移動される。垂直導管２２は、容器７が、水平位置にあるとき可撓性バッグの最下位の部位に到達するように可撓性に作られており、図４に破線で示すように、バッグから飲料の全体量を放出することが可能である。計量分配弁１１が閉じているとき、残りの全飲料を流出端部１４の可撓性マウス３１から急速に取り出すために、マウス３１の長さは比較的短い。この手段によって同時に達成されることは、計量分配弁１１の作動時におけるマウスの移動が僅かであり、この移動が、飲料の計量分配時の擾乱効果を発生しないことである。
【００２４】
図５、６は、水平に配置された飲料ディスペンサの更に別の具体例を示しており、冷却室４が、ペルチエ冷却部材5と一緒にハンドル１７によって、略示する矢印の方向に、ディスペンサのハウジング内に移動される。その結果、流出チャンネル１０(図７、９参照)がエルボ１２に対して移動され、前記流出チャンネルは、飲料の計量分配時に、ハンドル１７の作動が、冷却室４をバネ３６、３６´のバネ力に抗して、エルボ１２のストライカリムに向かって牽引しても、計量分配弁１１が開放されるまで、静止したままである。ハンドル１７が、垂直位置に復帰すると、冷却室４は、レリースされ、バネ力によってエルボから押し出され、弁１１が閉じる。比較的短いストロークの間は、冷却室４が、支承部
３５上で案内される。
【００２５】
図７、８は、図５、図６の飲料ディスペンサ１に用いるための容器７を示す。流出チャンネル１０は、計量分配弁１０の上方に比較的長い距離に亘って延出しており、緊密な嵌合でエルボ１２のストライカリム２７を包囲しており、ハンドル１７の作動時に、その傾斜に抗するように協働する。
【００２６】
図９からわかるように、エルボ１２のストライカリム２７´は、弁１１の上方に突出する流出チャンネルの上部セクション１０´頂部のエッジを打撃することによってストロークを区画するショルダ３８を有する。ベント開口部３７が、エルボ１２のストライカリム２７´に作られており、ハンドル１７(図５、６参照)が、閉じた位置に置かれると、ベント開口部３７は、上部セクション１０´から外れエルボ内に存在する飲料は容易にこのベント開口部から流出することができる。ハンドル１７が、計量分配位置に置かれたとき、ベント開口部は、流出チャンネル１０の上部セクション１０´の壁によって閉じられる。
【００２７】
図１０の具体例においては、ディスペンサは、柱状の冷却室４０を有し、その内部に、多数の、例えば、３つの容器４９、５０、５１が貯えられる。これらの容器は、頂部面の開口部４１を通って柱状部内に置かれる。これらの容器は、側方に突出する鍔(cheek)５３、５４を備える。上位の容器４９の鍔５３は、下方側の容器５０、５１の鍔に対して１/４回転だけ回動され柱状部の頂部において、上位の容器４９は、その頂部を規定位置に置いて、容器５０、５１に対して自由に釣り下がるようにマウント面５７、５８に支承される。
【００２８】
下方側の容器は、これらを柱状部４０に関して、それらの鍔５４が凹部５５、５６を自由に通り抜けるように配向することによって、柱状部４０内に下降する。
上位の容器が柱状部４０内に置かれた後、タップヘッド４７がバヨネット式嵌合を介して容器４９の流出チャンネルに接続され冷却ブロック４２、４３が、タップヘッド４７を包囲して設けられ、柱状部の頂部を遮断しタップヘッド４７を冷却する。次いで蓋４４と、格子４５によってカバーされた滴下トレー４５が嵌合される。
【００２９】
図１１、１２から明らかなように、タップヘッド４７は、シリンダ６０を備えており、このシリンダは、シリンダ内のスロット５９´と、流出チャンネル１０の頂部１０´の外周部にあるピン５９とによって形成されるバヨネット式接続を介して容器４９に接続される。押圧ロッド６１は、シリンダ６０の頂部において、遮断弁６３に接続され、流出端部５２を開閉するとともに、シリンダ６０の底部において計量分配弁１１と係合する。遮断弁６３は、ベントチャンネル６４を備え、前記チャンネルは、図１０に示す閉じた位置において、流出チャンネルの端部５２をベント開口７０に接続する。開いた位置においては、図１１に示すように、ベント開口７０が、遮断弁６３と一緒に移動することができる隆起部７２によって閉鎖される。ハンドル４８は、押圧ロッド６１に接続されている。計量分配弁１１のストロークと計量分配弁を開くために必要な力は、ボス６５の移動によって設定される。ボス６５は、ネジ山によって固定ストッパ７３に関し押圧ロッド６１に沿って移動することができる。
【図面の簡単な説明】
【００３０】
【図１】この発明の飲料ディスペンサと容器の組合せ体の長手方向断面図。
【図２】タップハンドル、作動部材、およびエルボを略図的に示す図。
【００３１】
【図３】使用中水平に配置されているディスペンサと容器の組合せ体の長手方向断面図。
【図４】図３と同趣旨の図。
【図５】この発明のディスペンサの代替具体例の長手方向断面図。
【図６】図５と同趣旨の図。
【図７】図５、６のディスペンサに使用する容器の長手方向断面図。
【図８】この発明のエルボを示す図。
【図９】この発明の流出チャンネルを示す図。
【図１０】内部において垂直に堆積された多数の容器を備えるディスペンサの斜視図。
【図１１】図９のディスペンサに使用する計量分配ヘッドを示す図。
【図１２】図１１と同趣旨の図。
【図１】
2007501749.tif 000003
【図２】
2007501749.tif 000004
【図３】
2007501749.tif 000005
【図４】
2007501749.tif 000006
【図５】
2007501749.tif 000007
【図６】
2007501749.tif 000008
【図７】
2007501749.tif 000009
【図８】
2007501749.tif 000010
【図９】
2007501749.tif 000011
【図１０】
2007501749.tif 000012
【図１１】
2007501749.tif 000013
【図１２】
2007501749.tif 000014
【手続補正書】
【提出日】平成17年3月14日(2005.3.14)
【手続補正１】
【補正対象書類名】特許請求の範囲
【補正対象項目名】全文
【補正方法】変更
【補正の内容】
【特許請求の範囲】
【請求項１】
炭酸飲料用のディスペンサ(１)と容器(７)の組合せ体であって、容器は、その頂部に、容器の軸の方向に延出する流出チャンネル(１０)と、流出チャンネルに接続された計量分配管(１２，１３，６６)を介して炭酸飲料を計量分配するための、容器の軸またはその近傍に配置されて、バネ張力の下に閉じられる計量分配弁(１１)とを備えており、ディスペンサは、容器を収容するための冷却室(４，４０)と、容器の軸から離間して配置されたハンドル(１７，４８)を備える計量分配ヘッド(１５，４７)を有し、
ハンドルは、容器の軸を横断してハンドル(１７，４８)から計量分配弁(１１)まで延出する作動部材(１２，１８，２０，６１)に接続され、作動部材は、使用中、計量分配弁(１１)または容器(７)に接続され、
作動部材は、ハンドルを軸方向に移動することによって移動して計量分配弁(１１)を開閉することができる組立て体。
【請求項２】
容器(７)は、エルボ(１２)の付いた計量分配管(１３,１４)を有し、容器のストライカリム(２７´)は、流出チャンネル（１０）内を移動することができ、流出チャンネルのエルボは、流出リム（２９）と打撃面（２８）を備え、
計量分配ヘッド（１５，４７）は、軸から多少離間して配置されたピボット点（１９）を備え、ハンドル（１７）が軸を中心として回動することができ、そして、作動部材は、ハンドルに接続され、打撃面に係合する押圧本体（１８）を含む点を特徴とする請求項１に記載の組合せ体。
【請求項３】
ストライカリム（２７´）は、計量分配弁（１１）の上方において、軸方向に延出する流出チャンネル（１０）の壁（１０´）に沿って、シールされた態様で案内される請求項２に記載の組合せ体。
【請求項４】
計量分配ヘッド（１５）は、可撓性の計量分配管（１３）に接続され、軸を横断して延出する容器の流出部を収容するための収容部を備え、ピボット点（１９）は、前記収容部近くに配置されている請求項１、２または３に記載の組合せ体。
【請求項５】
炭酸飲料用のディスペンサ(１)と容器(７)の組合せ体であって、容器は、その頂部に、容器の軸の方向に延出する流出チャンネル(１０)と、流出チャンネルに接続された計量分配管(１２，１３，６６)を介して炭酸飲料を計量分配するためのバネ張力の下に閉じられる計量分配弁(１１)とを備えており、ディスペンサは、容器を収容するための冷却室(４，４０)と、ハンドル(１７，４８)を備える計量分配ヘッド(１５，４７)を有し、
ハンドルは、使用中、計量分配弁(１１)または容器(７)の作動部材(１２，１８，２０，６１)に接続され、作動部材は、ハンドルを軸方向に移動することによって移動して計量分配弁(１１)を開閉することができ,
計量分配ヘッド（４７）は、流出チャンネル（１０）の延出部において容器に接続されることができるシリンダ状本体（６０）を含み、前記本体内には、軸に沿って延出し、
頂部において前記本体から派生するする押圧ロッド（６１）が収容されており、前記本体は、頂部に、流出開口（５２）と、押圧ロッドに接続されて前記本体の壁に沿ってスライドして流出開口（５２）を開閉する遮断部材（６３）を備える組合せ体。
【請求項６】
押圧ロッドの長手方向に調節可能であるボス(６５)が、前記押圧ロッドに取り付けられており、前記ボスと係合できる位置に来るストッパ(７３)が、シリンダ状本体の内部に収容されている請求項５に記載の組合せ体。
【請求項７】
遮断部材(９３)は、ハンドルが閉じた位置にあるとき、一方の端部において、流出開口と連通し、他方の端部において、シリンダ状本体内の流出開口と連通するベントチャンネル(６４)を備えている請求項６に記載の組合せ体。
【請求項８】
ディスペンサの軸が必ず水平でなければならない請求項１〜７のいずれか１項に記載の組合せ体。
【請求項９】
計量分配管の流出端部(１４，３１)は、容器の半径よりも長くはない請求項８に記載の組合せ体。
【請求項１０】
ピボット点(１９)は、容器の外周部と軸の間に配置されている請求項２に関する請求項９に記載の組合せ体。
【請求項１１】
容器の計量分配チャンネル(１０)に接続された可撓性垂直導管(２２)は、容器内に収容されている請求項８、９または１０に記載の組合せ体。
【請求項１２】
計量分配管(１２)の流出端部は、ハンドル(７)に関して、計量分配ヘッド内に固定されており、容器は、作動部材(１８)によって軸に沿って移動することができる請求項１〜１１のいずれか１項に記載の組合せ体。
【国際調査報告】
2007501749.tif 000015
2007501749.tif 000016